【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
光を発する発光手段と、
前記発光手段からの光を入力画像データに基づく透過率で透過することにより、画面上に画像を表示する表示パネルと、
前記発光手段の発光面上に設けられた、前記発光面上の輝度を検出する輝度センサと、
前記画面の領域のうち、前記輝度センサが設けられた位置に対応する対応領域に表示される画像の明るさに基づいて、前記輝度センサで検出された輝度である検出輝度を補正する補正手段と、
前記補正手段による補正後の検出輝度が所定の目標値に応じた値となるように、前記発光手段の発光輝度を制御する制御手段と、
を有し、
前記補正手段は、前記発光手段側から前記表示パネルに照射された光のうちの、前記表示パネルから前記発光手段側へ戻される光による前記検出輝度の変化が補正されるように、前記対応領域に表示される画像の明るさに応じて前記検出輝度を補正する
ことを特徴とする表示装置。
【請求項２】
前記制御手段は、前記補正手段による補正後の検出輝度が所定の目標値と一致するように、前記発光手段の発光輝度を制御する
ことを特徴とする請求項１に記載の表示装置。
【請求項３】
前記表示パネルは、前記発光手段側から前記表示パネルに照射された光の少なくとも一部を前記発光手段側へ戻す特性であって、前記画面の領域のうち、暗い画像が表示される領域において、明るい画像が表示される領域よりも大きい光量の光を前記発光手段側へ戻す特性を有する
ことを特徴とする請求項１または２に記載の表示装置。
【請求項４】
前記補正手段は、前記対応領域に表示される画像が暗いときに、前記対応領域に表示される画像が明るいときよりも大きい低下量で前記検出輝度を低下させる
ことを特徴とする請求項１〜３のいずれか１項に記載の表示装置。
【請求項５】
前記輝度センサ周辺の温度を検出する温度センサをさらに有し、
前記表示パネルは、前記発光手段側から前記表示パネルに照射された光の少なくとも一部を前記発光手段側へ戻す特性であって、前記画面の領域のうち、温度が高い領域において、温度が低い領域よりも大きい光量の光を前記発光手段側へ戻す特性を有しており、
前記補正手段は、前記発光手段側へ戻される光による前記検出輝度の変化が補正されるように、前記温度センサで検出された温度が高いときに、前記温度センサで検出された温度が低いときよりも大きい低下量で前記検出輝度を低下させる
ことを特徴とする請求項１〜４のいずれか１項に記載の表示装置。
【請求項６】
前記表示装置は、前記補正手段による補正後の検出輝度の目標値が互いに異なる複数のモードを有しており、
前記補正手段は、設定されているモードに対応する目標値が高いときに、設定されているモードに対応する目標値が低いときよりもサイズが大きい対応領域を設定する
ことを特徴とする請求項１〜５のいずれか１項に記載の表示装置。
【請求項７】
前記発光手段は、発する光の色が互いに異なる複数の光源を有しており、
前記輝度センサは、前記光源が発する光の色毎に、前記発光面上の輝度を検出し、
前記補正手段は、前記色毎に、前記対応領域に表示される画像の当該色の明るさに基づいて、当該色の検出輝度を補正し、
前記制御手段は、前記色毎に、前記補正手段による補正後の検出輝度が、その色に対応する目標値に応じた値となるように、当該色に対応する光源の発光輝度を制御する
ことを特徴とする請求項１〜６のいずれか１項に記載の表示装置。
【請求項８】
前記補正手段は、前記色毎に異なるサイズの対応領域を設定する
ことを特徴とする請求項７に記載の表示装置。
【請求項９】
前記対応領域は、前記輝度センサが設けられた位置を中心とする領域である
ことを特徴とする請求項１〜８のいずれか１項に記載の表示装置。
【請求項１０】
光を発する発光手段と、
前記発光手段からの光を入力画像データに基づく透過率で透過することにより、画面上に画像を表示する表示パネルと、
前記発光手段の発光面上に設けられた、前記発光面上の輝度を検出する輝度センサと、を有する表示装置の制御方法であって、
前記画面の領域のうち、前記輝度センサが設けられた位置に対応する対応領域に表示される画像の明るさに基づいて、前記輝度センサで検出された輝度である検出輝度を補正する補正ステップと、
前記補正ステップによる補正後の検出輝度が所定の目標値に応じた値となるように、前記発光手段の発光輝度を制御する制御ステップと、
を有し、
前記補正ステップでは、前記発光手段側から前記表示パネルに照射された光のうちの、前記表示パネルから前記発光手段側へ戻される光による前記検出輝度の変化が補正されるように、前記対応領域に表示される画像の明るさに応じて前記検出輝度が補正される
ことを特徴とする表示装置の制御方法。
【請求項１１】
前記制御ステップでは、前記補正ステップによる補正後の検出輝度が所定の目標値と一致するように、前記発光手段の発光輝度が制御される
ことを特徴とする請求項１０に記載の表示装置の制御方法。
【請求項１２】
前記表示パネルは、前記発光手段側から前記表示パネルに照射された光の少なくとも一部を前記発光手段側へ戻す特性であって、前記画面の領域のうち、暗い画像が表示される
領域において、明るい画像が表示される領域よりも大きい光量の光を前記発光手段側へ戻す特性を有する
ことを特徴とする請求項１０または１１に記載の表示装置の制御方法。
【請求項１３】
前記補正ステップでは、前記対応領域に表示される画像が暗いときに、前記対応領域に表示される画像が明るいときよりも大きい低下量で前記検出輝度が低下される
ことを特徴とする請求項１０〜１２のいずれか１項に記載の表示装置の制御方法。
【請求項１４】
前記表示装置は、前記輝度センサ周辺の温度を検出する温度センサをさらに有し、
前記表示パネルは、前記発光手段側から前記表示パネルに照射された光の少なくとも一部を前記発光手段側へ戻す特性であって、前記画面の領域のうち、温度が高い領域において、温度が低い領域よりも大きい光量の光を前記発光手段側へ戻す特性を更に有しており、
前記補正ステップでは、前記発光手段側へ戻される光による前記検出輝度の変化が補正されるように、前記温度センサで検出された温度が高いときに、前記温度センサで検出された温度が低いときよりも大きい低下量で前記検出輝度が低下される
ことを特徴とする請求項１０〜１３のいずれか１項に記載の表示装置の制御方法。
【請求項１５】
前記表示装置は、前記補正ステップによる補正後の検出輝度の目標値が互いに異なる複数のモードを有しており、
前記補正ステップでは、設定されているモードに対応する目標値が高いときに、設定されているモードに対応する目標値が低いときよりもサイズが大きい対応領域が設定されることを特徴とする請求項１０〜１４のいずれか１項に記載の表示装置の制御方法。
【請求項１６】
前記発光手段は、発する光の色が互いに異なる複数の光源を有しており、
前記輝度センサは、前記光源が発する光の色毎に、前記発光面上の輝度を検出するものであり、
前記補正ステップでは、前記色毎に、前記対応領域に表示される画像の当該色の明るさに基づいて、当該色の検出輝度が補正され、
前記制御ステップでは、前記色毎に、前記補正ステップによる補正後の検出輝度が、その色に対応する目標値に応じた値となるように、当該色に対応する光源の発光輝度が制御される
ことを特徴とする請求項１０〜１５のいずれか１項に記載の表示装置の制御方法。
【請求項１７】
前記補正ステップでは、前記色毎に異なるサイズの対応領域が設定される
ことを特徴とする請求項１６に記載の表示装置の制御方法。
【請求項１８】
前記対応領域は、前記輝度センサが設けられた位置を中心とする領域である
ことを特徴とする請求項１０〜１７のいずれか１項に記載の表示装置の制御方法。
【手続補正２】
【補正対象書類名】明細書
【補正対象項目名】００１２
【補正方法】変更
【補正の内容】
【００１２】
本発明の表示装置は、
光を発する発光手段と、
前記発光手段からの光を入力画像データに基づく透過率で透過することにより、画面上に画像を表示する表示パネルと、
前記発光手段の発光面上に設けられた、前記発光面上の輝度を検出する輝度センサと、
前記画面の領域のうち、前記輝度センサが設けられた位置に対応する対応領域に表示される画像の明るさに基づいて、前記輝度センサで検出された輝度である検出輝度を補正する補正手段と、
前記補正手段による補正後の検出輝度が所定の目標値に応じた値となるように、前記発光手段の発光輝度を制御する制御手段と、
を有し、
前記補正手段は、前記発光手段側から前記表示パネルに照射された光のうちの、前記表示パネルから前記発光手段側へ戻される光による前記検出輝度の変化が補正されるように、前記対応領域に表示される画像の明るさに応じて前記検出輝度を補正する
ことを特徴とする。
【手続補正３】
【補正対象書類名】明細書
【補正対象項目名】００１３
【補正方法】変更
【補正の内容】
【００１３】
本発明の表示装置の制御方法は、
光を発する発光手段と、
前記発光手段からの光を入力画像データに基づく透過率で透過することにより、画面上に画像を表示する表示パネルと、
前記発光手段の発光面上に設けられた、前記発光面上の輝度を検出する輝度センサと、を有する表示装置の制御方法であって、
前記画面の領域のうち、前記輝度センサが設けられた位置に対応する対応領域に表示される画像の明るさに基づいて、前記輝度センサで検出された輝度である検出輝度を補正する補正ステップと、
前記補正ステップによる補正後の検出輝度が所定の目標値に応じた値となるように、前記発光手段の発光輝度を制御する制御ステップと、
を有し、
前記補正ステップでは、前記発光手段側から前記表示パネルに照射された光のうちの、前記表示パネルから前記発光手段側へ戻される光による前記検出輝度の変化が補正されるように、前記対応領域に表示される画像の明るさに応じて前記検出輝度が補正される
ことを特徴とする。
【手続補正４】
【補正対象書類名】明細書
【補正対象項目名】００３６
【補正方法】変更
【補正の内容】
【００３６】
次に、レベル解析部１０４が、輝度センサ毎に、その輝度センサの対応領域に表示される画像の明るさとして、当該画像の特徴量を取得する（Ｓ６０２）。本実施例では、対応領域に表示される画像のＡＰＬが取得される。対応領域は、検出輝度に影響を与える戻り光が生じる領域（図４の半径ｒの領域４０５）として設定される領域である。本実施例では、輝度センサが設けられた位置を中心とする円形の領域が、対応領域として設定される。
なお、対応領域のサイズは固定値であってもよいし、変更可能な値であってもよい。例えば、図４の半径ｒは、バックライト１０９の発光輝度が高いほど拡大される。そのため、前述の画質モード毎に、対応領域が予め定められていることが好ましい。例えば、目標値が１００ｃｄ／ｍ２と低い画質モードに対して半径ｒ１の対応領域が関連付けられ、目標値が５００ｃｄ／ｍ２と高い画質モードに対して半径ｒ２（＞ｒ１）の対応領域が関連付けられた対応領域情報がＲＯＭに予め格納されていることが好ましい。そして、レベル
解析部１０４において、設定されている画質モードに関連付けられた対応領域が設定されることが好ましい。それにより、設定されている画質モードに対応する目標値が高いときに、設定されている画質モードに対応する目標値が低いときよりもサイズが大きい対応領域が設定される。このような構成とすることにより、対応領域として、検出輝度に影響を与える戻り光が生じる領域を正確に設定することができ、ひいては、戻り光による検出輝度の変化をより精度良く補正することができる。
なお、対応領域の形状は、円形でなくてもよい。対応領域の形状は、例えば、多角形（四角形など）であってもよい。また、対応領域の中心位置と、輝度センサが設けられた位置とは一致していなくてもよい。
【手続補正５】
【補正対象書類名】明細書
【補正対象項目名】００４３
【補正方法】変更
【補正の内容】
【００４３】
ところで、発光色が互いに異なるカラーＬＥＤ間で、ＬＥＤが発する光のスペクトル特性、及び、発光強度は互いに異なる。
その結果、発光色が互いに異なるカラーＬＥＤ間で、表示部１０５での光吸収量及び散乱条件が互いに異なることとなり、検出輝度に影響を与える戻り光が生じる領域（画面上の領域）も互いに異なることとなる。
そのため、発光色毎に異なるサイズの対応領域が設定されることが好ましい。例えば、本実施例では、標準の白色光を実現するために、発光強度の比が、ＧＬＥＤ：ＲＬＥＤ：ＢＬＥＤ＝６：３：１とされる。そして、ｒ＿Ｂ＜ｒ＿Ｒ＜ｒ＿Ｇとなるように、発光色毎の対応領域が設定される。ｒ＿Ｒは、Ｒに対応する対応領域である。ｒ＿Ｇは、Ｇに対応する対応領域である。ｒ＿Ｂは、Ｂに対応する対応領域である。このような構成とすることにより、発光色毎に、対応領域として、検出輝度に影響を与える戻り光が生じる領域を正確に設定することができ、ひいては、戻り光による検出輝度の変化をより精度良く補正することができる。
【手続補正６】
【補正対象書類名】明細書
【補正対象項目名】００４８
【補正方法】変更
【補正の内容】
【００４８】
そして、レベル解析部１０４が、輝度センサ毎に、その輝度センサの対応領域に表示される画像の、Ｒ、Ｇ、Ｂの明るさとして、当該画像のＲ、Ｇ、Ｂの特徴量を取得する（Ｓ１００２）。本実施例では、特徴量として、Ｒ値の平均値、Ｇ値の平均値、Ｂ値の平均値が取得される。